(57)【要約】【課題】エレベーターのかご又は釣合おもりがガイドレールから外れたことを簡便な装置で検出する。【解決手段】かごと、釣合おもり５と、かご側ガイドレールと、釣合おもり側ガイドレール９と、脱レール検出装置とを備え、これらを昇降路３の内部に設置したエレベーター装置１において、脱レール検出装置は、昇降路３の上端部及び下端部に検出部１１を設け、かご又は釣合おもり５の上端部及び下端部に検出対象部１２を設け、かご又は釣合おもり５がかご側ガイドレール又は釣合おもり側ガイドレール９から外れた状態を非接触で検出可能とする。【選択図】図２
2014055043.tif 000002
【特許請求の範囲】
【請求項１】
かごと、釣合おもりと、かご側ガイドレールと、釣合おもり側ガイドレールと、脱レール検出装置とを備え、これらを昇降路の内部に設置し、前記脱レール検出装置は、前記昇降路の上端部及び下端部に検出部を設け、前記かご又は前記釣合おもりの上端部及び下端部に検出対象部を設け、前記かご又は前記釣合おもりが前記かご側ガイドレール又は前記釣合おもり側ガイドレールから外れた状態を非接触で検出可能としたことを特徴とするエレベーター装置。
【請求項２】
検出部と、検出対象部とで構成された検出装置であって、かごと、釣合おもりと、かご側ガイドレールと、釣合おもり側ガイドレールとを備えたエレベーターを設置した昇降路の上端部及び下端部に前記検出部を設け、前記かご又は前記釣合おもりの上端部及び下端部に前記検出対象部を設け、前記かご又は前記釣合おもりが前記かご側ガイドレール又は前記釣合おもり側ガイドレールから外れた状態を非接触で検出可能としたことを特徴とするエレベーター用の脱レール検出装置。
【請求項３】
前記検出部は中空形状であり、前記検出対象部は突起部であることを特徴とする請求項２記載のエレベーター用の脱レール検出装置。
【請求項４】
前記検出部は半球形状又は柱状であり、前記検出対象部は中空の筒状体であることを特徴とする請求項２記載のエレベーター用の脱レール検出装置。
【請求項５】
前記検出部及び前記検出対象部の断面形状は、円形状又は多角形状であることを特徴とする請求項２記載のエレベーター用の脱レール検出装置。
【請求項６】
前記検出部と前記検出対象部とは、共通の軸を有するように位置合わせがされていることを特徴とする請求項２記載のエレベーター用の脱レール検出装置。
【請求項７】
前記検出部は、光学的な発光素子及び受光素子を有することを特徴とする請求項２記載のエレベーター用の脱レール検出装置。
【請求項８】
前記検出部は、静電容量の変化を利用するものであることを特徴とする請求項２記載のエレベーター用の脱レール検出装置。
【発明の詳細な説明】
【技術分野】
【０００１】
本発明は、エレベーター装置及びこれに用いる脱レール検出装置に関する。
【背景技術】
【０００２】
従来の技術としては、昇降体の昇降を案内するガイドレールに平行に導電線を配置し、昇降体が脱レールすると昇降体に備えた接触体が導電線に接触し、電気的に脱レールを検出する装置が挙げられる（特許文献１）。
【先行技術文献】
【特許文献】
【０００３】
【特許文献１】特開平４−６６４８６号公報
【発明の概要】
【発明が解決しようとする課題】
【０００４】
特許文献１に記載の装置は、ガイドレールに平行に導電線を配置することを前提とし、導電線の下端部のロッド及びこれに対応するアース板の構成に特徴がある。しかしながら、この装置は、導電線の経年的な伸長に対する調整作業を安全に行うためのものであり、前提となる導電線が大がかりな点に改善の余地があった。
【０００５】
本発明は、エレベーターのかご又は釣合おもりがガイドレールから外れたことを、当該導電線を用いず、簡便な装置で検出することを目的とする。
【課題を解決するための手段】
【０００６】
本発明のエレベーター装置は、かごと、釣合おもりと、かご側ガイドレールと、釣合おもり側ガイドレールと、脱レール検出装置とを備え、これらを昇降路の内部に設置し、脱レール検出装置は、昇降路の上端部及び下端部に検出部を設け、かご又は釣合おもりの上端部及び下端部に検出対象部を設け、かご又は釣合おもりがかご側ガイドレール又は釣合おもり側ガイドレールから外れた状態を非接触で検出可能としたことを特徴とする。
【発明の効果】
【０００７】
本発明によれば、エレベーターのかごまたは釣合おもりがガイドレールから外れた際、かごと釣合おもりとの衝突を防止することができる。
【図面の簡単な説明】
【０００８】
【図１】エレベーター装置を示す概略構成図である。
【図２】脱レール検出装置を備えたエレベーター装置を示す概略構成図である。
【図３】図２のＡ部を示す部分拡大図である。
【図４】脱レール検出装置の検出部を示す断面図である。
【図５】図４の検出部の変形例を示す断面図である。
【発明を実施するための形態】
【０００９】
以下、図を用いて本発明の実施例について説明する。
【実施例】
【００１０】
図１は、エレベーター装置の概略を示したものである。
【００１１】
本図において、エレベーター装置１は、建屋２に設けられた昇降路３の内部を上下に昇降するエレベーターのかご４及び釣合おもり５と、かご側ガイドレール８と、釣合おもり側ガイドレール９とを備えている。かご４と釣合おもり５とは、ロープ６により連結されている。ロープ６は、昇降路３の上部に設置されたシーブ７（駆動部）及びプーリ１８に巻きつけられている。シーブ７が回転すると、ロープ６が動き、かご４はかご側ガイドレール８に沿って、釣合おもり５は釣合おもり側ガイドレール９に沿って、互いに反対方向に昇降する。
【００１２】
図２は、脱レール検出装置を備えたエレベーター装置を示したものである。ここでは、例として釣合おもり側について説明する。
【００１３】
昇降路３の上端部及び下端部にはそれぞれ、円筒形の検出部１１が設置してある。また、釣合おもり５の上端部及び下端部にはそれぞれ、検出部１１の内径よりも直径の小さい円柱突起部１２（検出対象部）が取付けられている。円柱突起部１２と検出部１１とは、共通の中心軸を有するように位置合わせがされている。釣合おもり５が釣合おもり側ガイドレール９から外れていない状態では、釣合おもり５が昇降路３の上端部又は下端部まで移動したときに、円柱突起部１２は、少なくとも検出部１１の内側に入るように構成されている。
【００１４】
釣合おもり５は、外れ止め１０によって釣合おもり側ガイドレール９から外れないようにしてあるが、釣合おもり５が釣合おもり側ガイドレール９から外れると、昇降路に設置された検出部１１、及び釣合おもり５に取付けられた円柱突起部１２の中心軸が合わなくなるため、釣合おもり５が昇降路３の上端部又は下端部まで移動しても、円柱突起部１２が検出部１１の内側に入らない。このことにより、釣合おもり５が釣合おもり側ガイドレール９から外れたことを非接触で検出することができる。すなわち、脱レールを検出することができる。
【００１５】
釣合おもり５が釣合おもり側ガイドレール９から外れた状態でかご４と釣合おもり５とがすれ違うと、かご４と釣合おもり５とが衝突する可能性がある。これを防止するため、昇降路３の上端部及び下端部に検出部１１を設置することが望ましい。これにより、釣合おもり５をかご４と離れる方向に移動させ、脱レールを検出することができる。
【００１６】
なお、本図においては、円柱突起部１２を釣合おもり５の上端部及び下端部の左側に寄せた位置に配置し、検出部１１に対応するようにしているが、これに限定されるものではなく、釣合おもり５の上端部及び下端部の中央部又は右側に配置してもよい。
【００１７】
図３は、図２のＡ部を拡大して示したものである。
【００１８】
検出部１１と円柱突起部１２とが衝突して破損することを防ぐため、ばね１３を介して円柱突起部１２を釣合おもり５に取付けてもよい。本図においては、ばね１３を示したが、ばね以外にも、変位を吸収できるゴム、多孔質樹脂等の弾性体、ダッシュポット等のショックアブソーバ（ダンパー）を用いることができる。
【００１９】
本実施例においては、釣合おもり５に設置した脱レール検出装置について説明したが、脱レール検出装置をかご４に設置した場合も同様の効果を得ることができる。
【００２０】
図４は、脱レール検出装置の検出部を示す断面図である。
【００２１】
本図において、円筒形の検出部１１には、赤外線発光素子１０１及び赤外線受光素子１０２が設けてある。これにより、検出部１１の中空部に円柱突起部が進入しているか否かを検出することができる。検出部１１の枠体の材質は、特に限定されるものではないが、強度、耐久性等の観点から、ステンレス鋼等の鋼で形成することが望ましい。また、赤外線発光素子１０１の発光は、赤外線発光素子１０１の寿命の観点から、釣合おもり又はかごが検出部１１に接近した場合のみ行うことにすることが望ましい。
【００２２】
本図に示す検出部１１の上端部は、内径を小さくしてある。これは、赤外線発光素子１０１及び赤外線受光素子１０２にほこり等が蓄積されにくくするための構成である。
【００２３】
本図においては、赤外線を利用する検出部１１を示したが、検出原理は赤外線に限定されるものではなく、可視光を利用するものでもよく、一般に、光学的な発光素子及び受光素子を利用するものでもよい。また、検出原理は、超音波の発信・受信を利用するものでもよい。また、静電容量の変化を利用して円柱突起部の進入を検出するものでもよい。
【００２４】
図５は、図４の検出部の変形例を示す断面図である。
【００２５】
本図においては、検出部１１に脚部１０５を設けている。これにより、例えば、昇降路３の下端部よりも高い位置で円柱突起部を検出することができる。昇降路３の上端部においても、同様の構成（脚部１０５は、検出部１１の上部に設ける。）とすることにより、早めに円柱突起部を検出することができる。
【００２６】
なお、上述の検出部及び突起部は、断面形状が円形状であるが、これに限定されるものではなく、矩形、三角形、六角形等の多角形状であってもよい。
【００２７】
上記の実施例においては、検出部を中空円筒形状とし、この検出部に突起部（検出対象部）が進入する構成としたが、これに限定されるものではなく、昇降路の上端部及び下端部に設けた検出部を半球形状又は柱状（中実であってもよい。）とし、かご又は釣合おもりの上端部及び下端部には、中空の筒状体である検出対象部を設置し、この筒状体が検出部を覆った状態であるか否かを検出部にて検出することにより、脱レールが生じたか否かを検出してもよい。
【００２８】
なお、検出部と検出対象部との位置合わせは、断面形状の重心を通る共通の軸によってなされることが望ましい。
【００２９】
以上をまとめると、本発明の脱レール検出装置は、脱レールが生じていない正常な状態を、突起部、筒状体等の検出対象部と、検出部との位置関係によって非接触で検出可能な構成とし、脱レールによって検出対象部と検出部との位置関係に異常が生じた状態を判別する機能を有することを特徴とする。
【００３０】
本発明によれば、比較的簡単な構成により脱レールを検出することができる。
【符号の説明】
【００３１】
１：エレベーター装置、２：建屋、３：昇降路、４：かご、５：釣合おもり、６：ロープ、７：シーブ、８：かご側ガイドレール、９：釣合おもり側ガイドレール、１０：外れ止め、１１：検出部、１２：円柱突起部、１３：ばね、１８：プーリ、１０１：赤外線発光素子、１０２：赤外線受光素子、１０５：脚部。
【図１】
2014055043.tif 000003
【図２】
2014055043.tif 000004
【図３】
2014055043.tif 000005
【図４】
2014055043.tif 000006
【図５】
2014055043.tif 000007